(57)【要約】      （修正有）【課題】ビニルハウス内の上部空間に載置棚を回転可能に設置することにより、植物を立体的に配置できるようにして、ビニルハウス内の空間を有効に利用できるようにした日照装置を提供する。【解決手段】多数の目的物を載置した複数の棚を所定の時間毎に回転移動させて日照を照射可能な日照装置１であって、該日照装置を回転駆動させるギアボックス６と、該ギアボックスと連結する小型モーター９と、該小型モータを駆動させるバッテリー１０と、日照量を検知するセンサーと、該センサーの感知信号により前記ギアボックス及び小型モーターの回転制御を行なう制御装置とから構成される。また前記日照量を検知するセンサーは太陽電池であり、前記バッテリー及び前記小型モーターに電力を供給する。【選択図】図１
0003173109.tif 000002
【実用新案登録請求の範囲】
【請求項１】
多数の目的物を載置した複数の棚を所定の時間毎に回転移動させて日照を照射可能な日照装置であって、該日照装置を回転駆動させるギアボックスと、該ギアボックスと連結する小型モーターと、該小型モータを駆動させるバッテリーと、日照量を検知するセンサーと、該センサーの感知信号により前記ギアボックス及び小型モーターの回転制御を行なう制御装置を備えたことを特徴とする日照装置。
【請求項２】
前記日照量を検知するセンサーは太陽電池であり、前記バッテリー及び前記小型モーターに電力を供給することを特徴とする請求項１に記載の日照装置。
【考案の詳細な説明】
【技術分野】
【０００１】
本考案は、日照装置に関し、とくにビニールハウスなどの施設内に設置され、日照を受ける目的物を立体的に多数収容でき、少ないエネルギー使用量で運転が可能な日照装置に関するものである。
【背景技術】
【０００２】
従来より、従来、農業用施設等における日照を受ける目的物、例えば育苗用植物の栽培では、日照不足による病害を防ぐため、太陽光が育苗用植物に十分あたるようにすることが要請されている。とりわけ挿木，株分けなどでは太陽光が十分にあたる広い面積を確保する必要があることから、施設が大型化して多大な費用を要するという問題がある。そこで施設の大型化を回避すべく狭い場所を有効に活用する方策が検討されている。
【０００３】
しかし、育苗用植物の栽培において上下に立体化を図った場合は、立体的に収容された上方位置の植物と下方位置の植物とで太陽光の照射効率に大きな格差が生じる。つまり上方位置の植物には太陽光が十分にあたっても、その日陰となる下方位置の植物には太陽光が十分にあたらずに日照が不足する。その結果、下方位置の植物の発育が悪化するという問題を生ずる。
【０００４】
そこで、本考案者は、日照を受ける目的物の立体化において日照が不足を招くことなく、施設内空間の有効利用を図ることができる回転式日照装置を提案した（特許文献１参照。）。
【先行技術文献】
【特許文献】
【０００５】
【特許文献１】登録実用新案第３０４５０３０号公報
【考案の概要】
【考案が解決しようとする課題】
【０００６】
上記の特許文献１に提案した回転式日照装置によって、施設内の立体空間の有効利用を高めることができるばかりでなく、日照のはいる採光箇所から遠い下方位置にあった載置棚上の目的物も、その後の載置棚の回転移動により太陽光にあたるようになり、単位時間あたりの日照量を全体として均一化でき、もって目的物の立体化管理において日照不足による弊害を解消し、順調な生育を確保し品質向上を図ることが可能となったが、四季を通じて同じ周期で稼動させていたためエネルギー（電気使用量）の無駄を生じ、季節に応じた稼動と、省エネルギー技術が求められていた。
【０００７】
本考案は、上記問題点に鑑みなされたものであり、少ない電気使用量で運転可能で、日照量に応じた回転制御を可能とする日照装置を提供することを目的とするものである。
【課題を解決するための手段】
【０００８】
このため本考案の日照装置は、多数の目的物を載置した複数の棚を所定の時間毎に回転移動させて日照を照射可能な日照装置であって、該日照装置を回転駆動させるギアボックスと、該ギアボックスと連結する小型モーターと、該小型モータを駆動させるバッテリーと、日照量を検知するセンサーと、該センサーの感知信号により前記ギアボックス及び小型モーターの回転制御を行なう制御装置を備えたことを第１の特徴とする。
【０００９】
また、前記日照量を検知するセンサーは太陽電池であり、前記バッテリー及び前記小型モーターに電力を供給することを第２の特徴とする。
【考案の効果】
【００１０】
本考案の日照装置は、以上のように構成されているので次のような優れた効果を有する。
（１）日照量を検知するセンサーによって、季節ごとの日照量を検知してギアボックス及び小型モーターの回転制御を行なうことができるため、目的物に効率的な日照を与えることができるという効果がある。
（２）日照装置を回転駆動させるモータはバッテリーによって駆動させることが可能であり、外部電源のない場所であっても設置が可能であり、しかも少ない電力で駆動させることができるという効果がある。
（３）日照量を検知するセンサーは太陽電池で構成されており、バッテリー及び前記小型モーターに電力を供給することが可能であり、太陽光のみで日照装置を回転駆動させるだけでなく、バッテリーの充電によって、電力の確保ができるという効果がある。
【図面の簡単な説明】
【００１１】
【図１】本考案に係る日照装置の一実施例を示す斜視図である。
【図２】図１の使用状態を示す斜視説明図である。
【考案を実施するための形態】
【００１２】
以下、本考案の実施の形態を、図面に示す実施例に基づいて説明するが、本考案が本実施例に限定されないことは言うまでもない。図１は、本考案に係る日照装置の一実施例を示す斜視図、図２は本考案に係る日照装置の使用状態を示す斜視説明図である。
【実施例】
【００１３】
図１及び図２に示すように、本考案の日照装置１は、左右一対の支持基台２を二箇所に具備し、一方の支持基台２はその外側部分に上下二段の載置部３、４を有している。左右一対の支持基台２には水平回転軸５が回転自在に支持され、水平回転軸５は後述する農業用施設の縦方向と平行な水平方向に延びている。水平回転軸５は、載置部に設置した回転駆動手段６により正逆転可能に駆動されるようになっている。回転駆動手段６は、水平回転軸５の軸端に一端部分が連結された減速ギア７と、ベルト８を介し前記減速ギア７の他端部分を回転駆動する小型モータ９と、バッテリー１０とからなっている。
【００１４】
水平回転軸５の両側端部にはそれぞれ六本の保持棒１１が取り付けられ、六対の各保持棒１１は、水平回転軸５の半径方向に延びている。つまり各保持棒１１は水平回転軸５のまわりに互いに角度６０度を隔てて、水平回転軸５を中心とする放射状配列を形成している。六対の保持棒１１の先端部には、二等辺三角形に形成された一対の揺動部材１２の上端部が揺動自在に取り付けられ、ここでは揺動部材１２の上部が保持棒１１の先端側係止部１１ａに着脱可能に係止されている。揺動部材１２の下端部分には透明樹脂製の載置棚１３が着脱可能に取り付けられ、載置棚１３には植物（図示せず）が載せられるようになっている。
【００１５】
本実施例では、回転している日照装置の危険領域に人間や他の可動物体が近寄るときの非常時を配慮した安全システムが確保されている。すなわち、日照装置の危険領域の適当箇所、例えば図１に示すように載置棚１３の外側面または支持基台２の外側面には、載置棚１３への物体の近接を検知する近接センサ１４が取り付けられていると共に、近接センサ１４の検知信号に基づき回転駆動手段６を停止させる駆動制御手段１５がコンピュータ１６に内蔵されている。
【００１６】
図２は、本考案の日照装置１を農業用施設であるビニルハウス１７内に設置した例を示しており、
ビニルハウス１７の長手方向と水平回転軸５が平行となるように設置されている。また、ビニルハウス１７の外側近傍には太陽電池パネル１８が設置されており、ケーブル１９によってバッテリー１０及び小型モータ９が接続されている。尚、この太陽電池パネル１８からの出力はコンピュータ１６に
も分岐されており、駆動制御手段１５を介して制御信号を出力する。
【００１７】
つぎに本考案の日照装置１の作用を説明する。いまビニルハウス１７内の上方位置にある載置棚１３上の植物には太陽光があたる反面、遠い下方位置にある載置棚１３上の植物には、日陰となって太陽光が十分あたりにくい。そこでコンピュータ１６はセンサーである太陽電池パネル１８の出力を検知して小型モータ９を駆動する。この駆動力はべルト８を介して減速ギア７に伝達され水平回転軸５および保持棒１１が回転する。この保持棒１１の回転に伴い下方に位置していた載置棚１３上の植物が上方に回転移動する。これにより、前記植物は上方位置に移動することとなり、太陽光に十分あたるようになる。そして太陽電池パネル１８の出力が所定の数値を下回ると、コンピュータ１６は駆動制御手段１６を介して小型モータ９の回転を止める。具体例では、重量２トンの植物を１０分間停止して１０秒間稼動することにより、１時間で１回転することが可能となる。この稼動によって一月の機械回転に必要な電気料が１０円程度となり、さらに太陽電池パネルのみであれば０円となった。
【００１８】
以上の構成からなる、本考案の日照装置１は、ビニルハウス１７内の上部空間に載置棚１３を回転可能に設置することにより、植物を立体的に配置できるようにしたので、ビニルハウス１７内の空間を有効に利用できる。また日陰位置にあった載置棚１３上の植物は、その後の回転接近により太陽光にあたるようになるしたがって、すべての載置棚１３上の植物に対する所定時間あたりの太陽光照射量が、全体としてむらのない均等なものとなる。例えば朝はコンピュータ１６によりタイマを介して回転駆動手段６が１０分おきに始動停止制御され、これにより本例では各載置棚１３は１０分おきに角６０度だけ間欠回転するように設定され、一時間で各載置棚１３上の植物は水平回転軸５のまわりを一回転することになる。試験結果によると、全ての植物に対して太陽光がむらなくあたり、頗る順調な生育が得られた。しかも、小型モータ９をバッテリー１０によって駆動するため、少ない電気使用量で駆動させることが可能となり、極めてランニングコストが安価となる。さらに、太陽電池パネル１８からの出力が使用できるため、外部の電源がない場合であっても設置することができる。
【００１９】
本考案は実施例に限定されず、日照装置１は自動化されたファームファクトリにおいて三次元方向に移動可能に設けてもよく、この場合には支持基台２自体を農業用移動ロボットや昇降装置等により縦横の水平方向と上下の垂直方向に移動可能に構成すればよい。また、支持基台２の個数は左右一対のものに限らず任意でよく、その設置箇所も適宜数設定できる。実施例では日照装置４の高さを約５ｍないし７ｍとし、水平回転軸１１の長さを約２ｍないし３ｍとしているが、植物育苗工場などの適用対象によってその寸法は適宜変更可能であり、播種・育苗から移植まで葉菜類や花卉類等への応用範囲は特に限定されない。また、複数の保持棒１１の取付箇所、本数、方向ももちろん変更可能である。
【００２０】
以上、本考案によれば、施設内の上部空間に目的物を立体的に配置できるようにしたので、施設内の立体空間の有効利用を高めることができる。また、日照量を検知するセンサーによって、季節ごとの日照量を検知してギアボックス及び小型モーターの回転制御を行なうことができるため、目的物に効率的な日照を与えることができ、目的物（例えば植物）の成長の促進と効果的な節電を図ることができる。しかも構造が簡単であり小型化が容易であると共に、組立てが容易である。
【符号の説明】
【００２１】
１          日照装置
２          支持基台
３、４      載置部
５          水平回転軸
６          回転駆動手段
７          減速ギア
８          ベルト
９          小型モータ
１０          バッテリー
１１          保持棒
１１ａ        先端側係止部
１２          揺動部材
１３          載置棚
１４          近接センサ
１５          駆動制御手段
１６          コンピュータ
１７          ビニルハウス
１８          太陽電池パネル
１９          ケーブル
【図１】
0003173109.tif 000003
【図２】
0003173109.tif 000004